(57)【要約】【課題】  機械的な寿命の低下を防止することができるデータ記録再生装置を提供する。【解決手段】  データ記録再生装置のシステム制御回路が実行する処理は、ＨＤＤのシステム管理領域からアクセスカウンタＣＮＴを読み出すステップ（Ｓ４０２）と、タイムシフトデータファイルのオープンを検出した場合に（Ｓ４０４にてＹＥＳ）、ＣＮＴを１増分するステップ（Ｓ４０６）と、ＣＮＴが最大値になったときに（Ｓ４０８にてＹＥＳ）、タイムシフトデータファイルの開始位置を次の領域の開始位置に変更するステップ（Ｓ４１０）と、電源ＯＦＦが指令された場合に（Ｓ４１２にてＹＥＳ）、ＣＮＴの値をシステム管理領域のデータ領域に書き込むステップ（Ｓ４１４）と、所定の動作を実行するステップ（Ｓ４１６）とを含む。【選択図】        図４
2005149630.tif 000002
【特許請求の範囲】
【請求項１】
映像音声データを受信するための受信手段と、
前記受信手段により受信された前記映像音声データをいずれかの領域に選択的に逐次記録する複数のデータ記録領域を有する一時記録領域と、利用者による録画の指示に基づいて前記映像音声データを記録する保存領域とを含み、前記映像音声データを記録するための記録手段と、
前記記録手段にランダムにアクセスして、前記映像音声データの書き込みと読み出しとを実行するための記録再生手段と、
前記複数のデータ記録領域の中から、前記映像音声データの書き込みの対象となるデータ記録領域を識別する識別データを記録するための識別データ記録手段と、
前記記録再生手段が前記映像音声データの書き込みの対象となる前記データ記録領域にアクセスする頻度を検出するための頻度検出手段と、
前記頻度が予め定められた値に到達すると、前記識別データを、前記映像音声データが書き込まれていたデータ記録領域の次のデータ記録領域を識別するデータに変更することにより、前記映像音声データの書き込みの対象となる前記データ記録領域を変更するための変更手段と、
前記識別データが変更された後に前記映像音声データの受信が検知されると、前記映像音声データを、変更された前記識別データによって識別される前記データ記録領域に記録するように前記記録再生手段を制御するための制御手段とを含む、データ記録再生装置。
【請求項２】
映像音声データを受信するための受信手段と、
前記受信手段により受信された前記映像音声データをいずれかの領域に選択的に逐次記録する複数のデータ記録領域を有する一時記録領域と、利用者による録画の指示に基づいて前記映像音声データを記録する保存領域とを含み、前記映像音声データを記録するための記録手段と、
前記記録手段にランダムにアクセスして、前記映像音声データの書き込みと読み出しとを実行するための記録再生手段と、
前記映像音声データの書き込みの対象となるデータ記録領域を識別する識別データを記録するための識別データ記録手段と、
前記記録再生手段が前記映像音声データの書き込みの対象となる前記データ記録領域にアクセスする頻度を検出するための頻度検出手段と、
前記頻度を記録するための頻度記録手段と、
前記頻度に基づいて、前記映像音声データの書き込みの対象となる前記データ記録領域を変更するための変更手段と、
前記識別データによって識別される前記データ記録領域に前記映像音声データを書き込むように、前記識別データに基づいて前記記録再生手段を制御するための制御手段とを含む、データ記録再生装置。
【請求項３】
前記変更手段は、前記頻度が予め定められた値に到達すると、前記映像音声データの書き込みの対象となる前記データ記録領域を変更するためのデータ記録領域変更手段を含む、請求項２に記載のデータ記録再生装置。
【請求項４】
前記データ記録領域変更手段は、前記識別データを、前記映像音声データが書き込まれていた前記データ記録領域の次のデータ記録領域を識別するデータに変更する、請求項３に記載のデータ記録再生装置。
【請求項５】
前記データ記録再生装置はさらに、自己の始動を検知するための検知手段を含み、
前記制御手段は、前記始動が検知されると、前記記録再生手段に、前記識別データにより識別されるデータ記録領域に前記映像音声データを記録させる、請求項２〜4のいずれかに記載のデータ記録再生装置。
【請求項６】
前記データ記録再生装置はさらに、
前記利用者に入力された前記映像音声データの保存の指示を検出するための指示検出手段と、
前記保存の指示に基づいて、前記データ記録領域に記録されている前記映像音声データを前記保存領域に転送するように、前記記録再生手段を制御するための転送制御手段とを含む、請求項２〜５のいずれかに記載のデータ記録再生装置。
【請求項７】
前記転送制御手段は、前記保存の指示が検出されると、前記データ記録領域に記録されている前記映像音声データを１つの単位として転送するように、前記記録再生手段を制御するための制御手段を含む、請求項６に記載のデータ記録再生装置。
【請求項８】
前記データ記録再生装置はさらに、自己の電源の遮断の指示を検出するための遮断検出手段を含み、
前記制御手段は、前記電源の遮断の指示が検出されると、前記データ記録領域に記録されている前記映像音声データを１つの単位として読み出し、前記１つの単位として読み出した映像音声データを前記保存領域に書き込む、請求項７に記載のデータ記録再生装置。
【発明の詳細な説明】
【技術分野】
【０００１】
本発明はデータ記録再生装置に関し、特に、作動中にデータを逐次記録する記録領域を有するデータ記録再生装置に関する。
【背景技術】
【０００２】
データ記録装置の１つに、ＨＤＤ（Hard Disk Drive）記録装置がある。このＨＤＤ記録装置には、たとえばＴＶチューナを介して受信中の番組データを一時的に記録しつつ、記録した内容を表示する機能を有する装置がある。このような装置のデータ記録領域には、消去の指令がない限りデジタルデータを記録することができる保存領域と、装置の動作中、受信データを逐次記録するするための一時記録領域とが含まれる。
【０００３】
このようなデータ記録装置は、その記録容量の大きさにより、従来のＶＴＲ（Video Tape Recorder）その他の記録装置よりも多くのデータを記録することができるが、さらに長時間のデータを記録したいという要望があった。
【０００４】
そこで、たとえば特開２００１−１１８２９８号公報（特許文献１）は、同時記録再生時間の制限をなくして長時間のデータを記録することができる記録再生装置を開示する。この記録再生装置は、大容量記録媒体を介してデータの記録再生を行なう第１の記録再生手段と、大容量記録媒体を介してデータの記録再生を行なう第２の記録再生手段と、高速アクセス可能な記録媒体を介してデータの記録再生を行なう第３の記録再生手段と、各記録再生手段の動作を切り換える制御手段とを含む。制御手段は、データのシームレスな記録あるいは再生を行なう。
【０００５】
特許文献１に開示された記録再生装置によると、制御手段が、各記録再生手段の動作を切り換えるため、データのシームレスな記録再生動作を実行することができる。
【特許文献１】特開２００１−１１８２９８号公報
【発明の開示】
【発明が解決しようとする課題】
【０００６】
しかしながら、特許文献１に開示された記録再生装置によると、たとえば第３の記録再生手段は、データの記録のために高速にアクセスするために、機械的な寿命を低下させる場合があった。
【０００７】
また、データのシームレスな記録再生動作によって、利用者が保存したいデータが他のデータによって上書き消去され、データの管理が適切に実行できない場合があった。
【０００８】
本発明は、上述の問題点を解決するためになされたものであって、その目的は、機械的な寿命の低下を防止することができるデータ記録再生装置を提供することである。
【０００９】
本発明の他の目的は、利用者が希望するデータの保存その他の管理を容易に行なうことができるデータ記録再生装置を提供することである。
【課題を解決するための手段】
【００１０】
上記の課題を解決するために、この発明のある局面に従うと、データ記録再生装置は、映像音声データを受信するための受信手段と、受信手段により受信された映像音声データをいずれかの領域に選択的に逐次記録する複数のデータ記録領域を有する一時記録領域と、利用者による録画の指示に基づいて映像音声データを記録する保存領域とを含み、映像音声データを記録するための記録手段と、記録手段にランダムにアクセスして、映像音声データの書き込みと読み出しとを実行するための記録再生手段と、複数のデータ記録領域の中から、映像音声データの書き込みの対象となるデータ記録領域を識別する識別データを記録するための識別データ記録手段と、記録再生手段が映像音声データの書き込みの対象となるデータ記録領域にアクセスする頻度を検出するための頻度検出手段と、頻度が予め定められた値に到達すると、識別データを、映像音声データが書き込まれていたデータ記録領域の次のデータ記録領域を識別するデータに変更することにより、映像音声データの書き込みの対象となるデータ記録領域を変更するための変更手段と、識別データが変更された後に映像音声データの受信が検知されると、映像音声データを、変更された識別データによって識別されるデータ記録領域に記録するように記録再生手段を制御するための制御手段とを含む。
【００１１】
上記の構成を有するデータ記録再生装置によると、受信手段が映像音声データを受信すると、記録再生手段は、記録手段（たとえば、ハードディスク装置その他の情報記録媒体）において、複数のデータ記録領域を有する一時記録領域（たとえば、いわゆるタイムシフト領域）から選択されたデータ記録領域に映像音声データを逐次記録したり、利用者による録画の指示に基づいて保存領域（たとえば、いわゆる録画領域）に映像音声データを記録する。識別データ記録手段は、映像音声データの書き込みの対象となるデータ記録領域を識別する識別データ（たとえば、予め各領域に割り当てられた領域番号等）を記録する。記録再生手段がデータ記録領域にアクセスすると、頻度記録手段は、そのアクセスの頻度を記録する。その頻度が予め定められた値に到達すると、変更手段は、識別データを、映像音声データが書き込まれていたデータ記録領域の次のデータ記録領域を識別するデータに変更する。データ記録再生装置において映像音声データの受信が検知されると、制御手段は、記録再生手段に、識別データによって識別されるデータ記録領域に映像音声データを書き込ませる。すなわち、これまで映像音声データが書き込まれていたデータ記録領域とは異なる領域に、その後に受信される映像音声データは書き込まれる。このようにすると、特定のデータ記録領域にのみに対する映像音声データの書き込みができなくなるため、記録再生手段は、複数のデータ記録領域間に対して移動することになる。したがって、記録再生手段が特定のデータ記録領域において映像音声データの書き込みあるいは読み出しを続けることによる影響（たとえば、機械的な磨耗、特に偏磨耗等）を抑制することができる。これにより、機械的な寿命の低下を防止することができるデータ記録再生装置を提供することができる。
【００１２】
この発明の他の局面に従うと、データ記録再生装置は、映像音声データを受信するための受信手段と、受信手段により受信された映像音声データをいずれかの領域に選択的に逐次記録する複数のデータ記録領域を有する一時記録領域と、利用者による録画の指示に基づいて映像音声データを記録する保存領域とを含み、映像音声データを記録するための記録手段と、記録手段にランダムにアクセスして、映像音声データの書き込みと読み出しとを実行するための記録再生手段と、映像音声データの書き込みの対象となるデータ記録領域を識別する識別データを記録するための識別データ記録手段と、記録再生手段が映像音声データの書き込みの対象となるデータ記録領域にアクセスする頻度を検出するための頻度検出手段と、頻度を記録するための頻度記録手段と、頻度に基づいて、映像音声データの書き込みの対象となるデータ記録領域を変更するための変更手段と、識別データによって識別されるデータ記録領域に映像音声データを書き込むように、識別データに基づいて記録再生手段を制御するための制御手段とを含む。
【００１３】
上記の構成を有するデータ記録再生装置によると、受信手段が映像音声データを受信すると、記録再生手段は、記録手段において、複数のデータ記録領域を有する一時記録領域において特定のデータ記録領域に映像音声データを逐次記録したり、利用者による録画の指示に基づいて保存領域に映像音声データを記録する。識別データ記録手段は、映像音声データの書き込みの対象となるデータ記録領域を識別する識別データ（たとえば、予め各領域に割り当てられた領域番号等）を記録する。記録再生手段がデータ記録領域にアクセスすると、頻度記録手段は、そのアクセスの頻度を記録する。変更手段は、その頻度に基づいて（たとえば、その頻度が予め定められた値に到達したとき等）、識別データを、映像音声データが書き込まれていたデータ記録領域の次のデータ記録領域を識別するデータに変更する。記録再生手段は、識別データが示すデータ記録領域に映像音声データを記録する。このようにすると、識別データを変更することにより、映像音声データが記録されるデータ記録領域も変更されるため、映像音声データが特定のデータ記録領域にのみ記録されることを防止することができる。したがって、記録再生手段が一定の状態で記録あるいは再生動作を続けることによる影響（たとえば、機械的な磨耗）を防止することができる。これにより、機械的な寿命の低下を防止することができるデータ記録再生装置を提供することができる。
【００１４】
好ましくは、変更手段は、頻度が予め定められた値に到達すると、映像音声データの書き込みの対象となるデータ記録領域を変更するためのデータ記録領域変更手段を含む。
【００１５】
上記の構成を有するデータ記録再生装置によると、記録手段に対するアクセスの頻度の値を設定することにより、映像音声データの書き込みの対象となるデータ記録領域の変更を可能にすることができる。その結果、記録再生手段が特定のデータ記録領域において書き込みあるいは読み出し動作を続けることが防止される。
【００１６】
好ましくは、データ記録領域変更手段は、識別データを、映像音声データが書き込まれていたデータ記録領域の次のデータ記録領域を識別するデータに変更する。
【００１７】
上記の構成を有するデータ記録再生装置によると、記録手段に対するアクセスの頻度が予め定められた値に到達すると、記録再生手段は、映像音声データがこれまで書き込まれていたデータ記録領域の次のデータ記録領域（たとえば、識別番号が次の番号である領域）に、映像音声データを記録する。したがって、特定のデータ記録領域への書き込みが防止されるため、記録再生手段の機械的な寿命の低下を抑制することができる。
【００１８】
好ましくは、データ記録再生装置はさらに、自己の始動を検知するための検知手段を含む。制御手段は、始動が検知されると、記録再生手段に、識別データにより識別されるデータ記録領域に映像音声データを記録させる。
【００１９】
上記の構成を有するデータ記録再生装置によると、電源が入れられた後に、映像音声データの書き込み先のデータ記録領域が変更されるため、変更前のデータ記録領域に記録されている映像音声データを保護することができる。
【００２０】
好ましくは、データ記録再生装置はさらに、利用者に入力された映像音声データの保存の指示を検出するための指示検出手段と、保存の指示に基づいて、データ記録領域に記録されている映像音声データを保存領域に転送するように、記録再生手段を制御するための転送制御手段とを含む。
【００２１】
上記の構成を有するデータ記録再生装置によると、利用者が映像音声データの保存を指示すると（たとえば、リモコン端末等の操作によるデータの保存操作を実行すると）、データ記録領域に記録されている映像音声データは、保存領域に転送される。したがって、利用者がその保存領域に記録されているデータの削除の指示あるいは他のデータの上書きを許可しない限り、その映像音声データは保存領域において保存される。これにより、データ記録再生装置は、機械的な寿命の低下を防止しつつ、利用者が希望する映像音声データを保存し続けることができる。
【００２２】
好ましくは、転送制御手段は、保存の指示が検出されると、データ記録領域に記録されている映像音声データを１つの単位として転送するように、記録再生手段を制御するための制御手段を含む。
【００２３】
上記の構成を有するデータ記録再生装置によると、利用者が映像音声データの保存を指示すると、データ記録領域に記録されている全ての映像音声データが、保存領域に転送される。このようにすると、データ記録領域と保存領域との間の映像音声データの管理の効率を向上させることができる。
【００２４】
好ましくは、データ記録再生装置はさらに、自己の電源の遮断の指示を検出するための遮断検出手段を含む。制御手段は、電源の遮断の指示が検出されると、データ記録領域に記録されている映像音声データを１つの単位として読み出し、１つの単位として読み出した映像音声データを保存領域に書き込む。
【００２５】
上記の構成を有するデータ記録再生装置によると、たとえば、利用者が電源のスイッチをＯＦＦにすると、データ記録再生装置の電源が遮断される前に、データ記録領域に記録されている映像音声データがデータ記録領域から１つの単位（たとえば、１ファイル）として読み出され、保存領域に書き込まれる。このようにすると、利用者によるデータ記録再生装置の使用を妨げることなく、データ記録領域に保存されている映像音声データを保存領域に記録することができる。
【発明の効果】
【００２６】
本発明に係るデータ記録再生装置によると、データ記録領域へのアクセスの頻度に応じて、映像音声データが逐次記録されるデータ記録領域が変更されるため、磁気ヘッドその他の記録再生手段が特定の状態で作動し続けることが防止される。したがって、データ記録再生装置の寿命の低下を防止することができる。
【００２７】
また、本発明に係るデータ記録再生装置によると、データ記録領域に記録されている映像音声データを一括して保存領域に転送することができるため、利用者による映像音声データの保存その他の管理を容易に行なうことができる。
【発明を実施するための最良の形態】
【００２８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２９】
図１を参照して、本発明の実施の形態に係るデータ記録再生装置１００について説明する。図１は、データ記録再生装置１００の構成を表わすブロック図である。
【００３０】
このデータ記録再生装置１００は、システム制御回路１１０と、ＯＳＤ（On Screen Display）画像生成回路１１４と、操作部１２２と、受光部１２４と、計時回路１２６と、表示部１２８と、チューナ１３０と、ＭＰＥＧ（Moving Picture Experts Group）エンコーダ１３２と、ハードディスク装置１４０と、ＭＰＥＧデコーダ１４６と、出力部１４８とを含む。システム制御回路１１０はメモリ１１２を含む。ハードディスク装置１４０は、データ記録再生ヘッド１４２と、ハードディスク１４４とを含む。データ記録再生装置１００は、テレビ１５０その他の表示装置に接続される。
【００３１】
アンテナ１９０が受信した信号は、チューナ１３０により検知される。チューナ１３０から出力される信号は、ＭＰＥＧエンコーダ１３２に入力される。ＭＰＥＧエンコーダ１３２は、所定の符号化処理を実行して、入力信号を符号化する。
【００３２】
ＭＰＥＧエンコーダ１３２から出力される信号は、システム制御回路１１０を介してハードディスク装置１４０に入力される。ハードディスク装置１４０のデータ記録再生ヘッド１４２は、システム制御回路１１０の制御に基づいて、ハードディスク１４４の所定の記憶領域に入力信号を記録する。このようにして、データ記録再生装置１００は、アンテナ１９０により受信されたテレビ番組を録画する。ハードディスク装置１４０はまた、システム制御回路１１０からの制御信号に基づいて、ハードディスク１４４に記録されているデータを読み出して出力する。
【００３３】
ハードディスク装置１４０から出力される信号は、システム制御回路１１０を介してＭＰＥＧデコーダ１４６に入力される。ＭＰＥＧデコーダ１４６は、予め定められた復号処理を実行して、入力信号を復号化する。
【００３４】
ＭＰＥＧデコーダ１４６から出力される信号は、出力部１４８に入力される。出力部１４８は、ＭＰＥＧデコーダ１４６からの入力信号と、後述するＯＳＤ画像生成回路１１４からの入力信号とを合成して出力する。この出力信号は、データ記録再生装置１００に接続されるテレビ１５０その他の表示装置に入力される。このようにして、データ記録再生装置１００は、ハードディスク装置１４０に既に記録されているデータを再生する。
【００３５】
操作部１２２は、たとえばデータ記録再生装置１００の前面に設けられる操作パネルである。このようなデータ記録再生装置１００において、利用者が所定の指示を入力すると、その指示は操作部１２２により検知される。操作部１２２は、検知した指示をシステム制御回路１１０に出力する。
【００３６】
利用者がリモコン（図示しない）を使用して所定の指示を出力した場合には、その信号は受光部１２４により検知される。受光部１２４は、検知した信号を、システム制御回路１１０に出力する。
【００３７】
表示部１２８は、システム制御回路１１０から出力される信号に基づいて、所定の情報を表示する。この情報には、たとえば受信チャネル、時刻、データ記録再生装置１００の動作モード（たとえば記録モード、録画モード）などが含まれる。なお、表示される情報は、これらに限られない。
【００３８】
なお、データ記録再生装置１００は、上記の構成のように、たとえばＨＤＤレコーダであるが、これに限られない。たとえば、画像データ等の記憶装置としてＨＤＤを備えるＰＣ（Personal Computer）その他のコンピュータであってもよい。この場合、コンピュータの処理は、その動作を制御するソフトウェアをＣＰＵ（Central Processing Unit）により実行させることによっても、実現することができる。
【００３９】
このようなソフトウェアは、予めコンピュータのハードウェアに記憶されている場合もあれば、ＣＤ−ＲＯＭ（Compact Disk - Read Only Memory）その他の記録媒体に格納されて流通し、ディスク駆動装置によりその記録媒体から読み取られて、プログラムを格納するＨＤＤその他の記憶装置に一旦格納される場合もある。そのソフトウェアは、その記憶装置からＲＡＭ（Random Access Memory）その他の主記憶部に読み出されて、ＣＰＵにより実行される。このようなコンピュータの構成は、一般的なものである。したがって、本発明の最も本質的な部分は、ＨＤＤその他の記憶装置、あるいはＣＤ−ＲＯＭその他の記録媒体に記録されたソフトウェアであるともいえる。
【００４０】
なお、このような構成を有するコンピュータの動作自体は周知である。したがって、ここでは、その動作についての詳細な説明は繰り返さない。
【００４１】
図２を参照して、本発明の実施の形態に係るデータ記録再生装置１００に記録されるデータについて説明する。図２（Ａ）は、ハードディスク装置１４０のハードディスク１４４におけるデータの記録領域を表わす図である。図２（Ｂ）〜（Ｄ）は、ハードディスク１４４のタイムシフト領域Ｄ２１０において、映像音声データが逐次記録されるタイムシフトファイルの位置が変化することを表わす図である。
【００４２】
図２（Ａ）に示すように、ハードディスク１４４は、データを記憶するための領域として、タイムシフト領域Ｄ２１０と、録画ファイル領域Ｄ２２０と、システム管理領域Ｄ２００とを含む。
【００４３】
タイムシフト領域Ｄ２１０には、データ記録再生装置１００に入力されるデータが一時的に記録される。この一時的な記録は、たとえば、データ記録再生装置１００の電源がＯＮになったときに開始される。
【００４４】
録画ファイル領域Ｄ２２０には、利用者により録画が指示されたデータが記録される。この領域に記録されるデータは、利用者による削除の指示がない限り保存される。
【００４５】
システム管理領域Ｄ２００には、データ記録再生装置１００の動作を制御するための制御データが格納される。この動作には、たとえば、タイムシフト領域Ｄ２１０の特定のタイムシフトデータファイルへの映像音声データの書き込みあるいは読み出し、予約録画等が含まれる。また、制御データは、タイムシフトデータファイルを識別する識別データ、特定のデータ記録領域へのデータ書き込みの可否を表わすフラグ、設定された予約録画のための録画開始および録画終了時刻、受信チャネル、録画モード等を含む。この制御データについては、図３において詳述する。
【００４６】
図２（Ｂ）〜（Ｄ）に示すように、タイムシフト領域Ｄ２１０内における特定の領域が、タイムシフトデータファイルとして、確保される。この場合、タイムシフトデータファイルの変更は、たとえば、タイムシフトデータファイルへのアクセスに基づいて切り換えられる。このアクセスは、データの記録のためのアクセスと、データの読み出しのためのアクセスとを含む。
【００４７】
図３を参照して、ハードディスク１４４のシステム管理領域Ｄ２００に格納されるデータについて説明する。図３は、システム管理領域Ｄ２００におけるデータ記録再生装置１００の動作を制御するための制御データの構造を表わす。
【００４８】
図３に示すように、タイムシフトデータファイルの開始位置を表わすデータは、データ領域Ｄ３００に格納される。タイムシフトデータファイルの終了位置を表わすデータは、データ領域Ｄ３１０に格納される。なお、タイムシフトデータファイルは、図２（Ｂ）に示したように、タイムシフト領域Ｄ２１０において確保されるデータを記録するための領域である。
【００４９】
映像音声データの録画が可能な領域の開始位置を表わす録画領域開始位置データは、データ領域Ｄ３２０に格納される。その領域の終了位置を表わす録画領域終了位置データは、データ領域Ｄ３３０に格納される。この録画領域は、図２（Ａ）に示した、録画ファイル領域Ｄ２２０において確保され、利用者の指示に基づいて映像音声データを記録するための領域である。なお、これらのデータは、複数であってもよい。このようにすると、各データによって特定される領域に、データの上書きを制御するフラグを設けることにより、既に記録されたデータが消去されることを防止することができる。
【００５０】
保存領域の開始位置を表わす保存領域開始位置データは、データ領域Ｄ３４０に格納される。その領域の終了位置を表わす保存領域終了位置データは、データ領域Ｄ３５０に格納される。ここで、保存領域とは、タイムシフト領域Ｄ２１０において既にデータが記録されている領域であって、その後の記録が一時的に禁止されている領域をいう。
【００５１】
この保存領域の数は、タイムシフト領域Ｄ２１０におけるデータの逐次記録が進むにつれて増加する。この保存領域に記録されているデータは、利用者による指示によって、録画ファイル領域Ｄ２２０への転送が可能である。これにより、その後、この保存領域に対するデータの記録が再開された場合でも、利用者が希望する映像音声データを保存することができる。
【００５２】
アクセスカウンタＣＮＴは、データ領域Ｄ２０２に格納される。このアクセスカウンタＣＮＴは、データ記録再生ヘッド１４２による、データの記録が可能なタイムシフトデータファイルへのデータの書き込みあるいはデータの読み出しの回数を表わす。
【００５３】
図４を参照して、本実施の形態に係るデータ記録再生装置１００の制御構造について説明する。図４は、データ記録再生装置１００のシステム制御回路１１０が実行する処理の手順を表わすフローチャートである。
【００５４】
ステップＳ４０２にて、システム制御回路１１０は、データ記録再生ヘッド１４２をハードディスク１４４のシステム管理領域Ｄ２００に移動し、システム管理領域Ｄ２００のデータ領域Ｄ２０２に格納されているアクセスカウンタＣＮＴを読み出す。
【００５５】
ステップＳ４０４にて、システム制御回路１１０は、タイムシフト領域Ｄ２１０の所定のタイムシフトデータファイルのオープンの指示を検出したか否かを判断する。この指示の検出は、たとえばデータ記録再生装置１００に対する録画動作あるいは再生動作の指示を検出することにより行なわれる。タイムシフトファイルのオープンの指示を検出した場合には（ステップＳ４０４にてＹＥＳ）、処理はステップＳ４０６に移される。そうでない場合には（ステップＳ４０４にてＮＯ）、処理はステップＳ４０８に移される。
【００５６】
ステップＳ４０６にて、システム制御回路１１０は、アクセスカウンタＣＮＴの値を１カウントアップして、データ領域Ｄ２０２に書き込む。
【００５７】
ステップＳ４０８にて、システム制御回路１１０は、アクセスカウンタＣＮＴの値が予め定められた最大値になったか否かを判断する。アクセスカウンタＣＮＴの値が最大値になったと判断されると（ステップＳ４０８にてＹＥＳ）、処理はステップＳ４１０に移される。そうでない場合には（ステップＳ４０８にてＮＯ）、処理はステップＳ４１２に移される。
【００５８】
ステップＳ４１０にて、システム制御回路１１０は、タイムシフトデータファイル開始位置データを、現在のタイムシフトデータファイルの開始位置から、次の領域の開始位置を表わすデータに変更する。
【００５９】
ステップＳ４１２にて、システム制御回路１１０は、データ記録再生装置の電源のＯＦＦが指令されたか否かを判断する。この判断は、操作部１２２あるいは受光部１２４から出力される信号が、電源のＯＦＦを指令する信号であるか否かに基づいて行なわれる。電源のＯＦＦが指令されたと判断すると（ステップＳ４１２にてＹＥＳ）、処理はステップＳ４１４に移される。そうでない場合には（ステップＳ４１２にてＮＯ）、処理はステップＳ４０４に戻される。
【００６０】
ステップＳ４１４にて、システム制御回路１１０は、アクセスカウンタＣＮＴの値をシステム管理領域Ｄ２００のデータ領域Ｄ２０２に書き込む。
【００６１】
ステップＳ４１６にて、システム制御回路１１０は、電源をＯＦＦする場合の所定の動作を実行する。
【００６２】
図５を参照して、本実施の形態に係るデータ記録再生装置１００の制御構造についてさらに説明する。図５は、システム制御回路１１０が実行するタイムシフト録画処理の手順を表わすフローチャートである。
【００６３】
ステップＳ５０２にて、システム制御回路１１０は、データ記録再生ヘッド１４２を介して、システム管理領域Ｄ２００のデータ領域Ｄ３００から、タイムシフトデータファイル開始位置を表わすデータを読み出す。
【００６４】
ステップＳ５０４にて、システム制御回路１１０は、読み出したデータが示す位置にデータ記録再生ヘッド１４２を移動する指示を出力する。その結果、データ記録再生ヘッド１４２は、特定のタイムシフトデータファイルの先頭領域にアクセスする。
【００６５】
ステップＳ５０６にて、システム制御回路１１０は、データ記録再生装置１００に入力されるデータをその位置から記録する指示を出力する。その結果、データ記録再生ヘッド１４２は、そのタイムシフトデータファイルの先頭領域から映像音声データの記録を開始する。
【００６６】
ステップＳ５０８にて、システム制御回路１１０は、タイムシフト録画処理を終了するか否かを判断する。この判断はたとえば、データ記録再生装置１００に対して電源のＯＦＦが指令されたか否かを検知することにより行なわれる。タイムシフト録画処理を終了すると判断すると（ステップＳ５０８にてＹＥＳ）、処理はステップＳ５１２に移される。そうでない場合には（ステップＳ５０８にてＮＯ）、処理はステップＳ５１０に移される。
【００６７】
ステップＳ５１０にて、システム制御回路１１０は、受信データを記録する指示の出力を継続する。その結果、データ記録再生ヘッド１４２は、タイムシフト領域Ｄ２１０の特定のタイムシフトデータファイルに、チューナ１３０により受信されたデータを書き込み続ける。
【００６８】
ステップＳ５１２にて、システム制御回路１１０は、受信データを記録する指示の出力を終了する。その結果、データ記録再生ヘッド１４２は、タイムシフト領域Ｄ２１０の特定のタイムシフトデータファイルに対するデータの書き込みを終了する。
【００６９】
図６を参照して、本実施の形態に係るデータ記録再生装置１００の制御構造についてさらに説明する。図６は、システム制御回路１１０が実行する再生処理の手順を表わすフローチャートである。
【００７０】
ステップＳ６０２にて、システム制御回路１１０は、システム管理領域Ｄ２００から、タイムシフト領域Ｄ２１０において記録されているファイルを表わすデータを読み出す。
【００７１】
ステップＳ６０４にて、システム制御回路１１０は、読み出したデータを表示する指示を出力する。これにより、データ記録再生装置１００に接続されたテレビ１５０には、タイムシフト領域Ｄ２１０に記録されているデータの一覧が表示される。
【００７２】
ステップＳ６０６にて、システム制御回路１１０は、利用者により選択されたファイルを検出する。この検出はたとえば、一覧表示されたファイルの中から特定のファイルを選択し、リモコン（図示しない）の所定の決定ボタンを押下したことに応答して行なわれる。
【００７３】
ステップＳ６０８にて、システム制御回路１１０は、システム管理領域Ｄ２００からそのファイルの開始位置を読み出す。
【００７４】
ステップＳ６１０にて、システム制御回路１１０は、データ記録再生ヘッド１４２をその開始位置に移動させる指示を出力する。この指示が出力されると、データ記録再生ヘッド１４２はデータの読み出しが可能な状態になる。
【００７５】
ステップＳ６１２にて、システム制御回路１１０は、記録されているデータを読み出す指示を出力する。その結果、データ記録再生ヘッド１４２はそのドライブの開始位置から順次データを読み出す。
【００７６】
ステップＳ６１４にて、システム制御回路１１０は、再生処理を終了するか否かを判断する。この判断はたとえば、操作部１２２あるいは受光部１２４からシステム制御回路１１０に停止の指令が出力されたか否かに基づいて行なわれる。再生処理を終了すると判断した場合には（ステップＳ６１４にてＹＥＳ）、処理はステップＳ６１８に移される。そうでない場合には（ステップＳ６１４にてＮＯ）、処理はステップＳ６１６に移される。
【００７７】
ステップＳ６１６にて、システム制御回路１１０は、データを読み出す指示の出力を継続する。その結果、データ記録再生ヘッド１４２は、ハードディスク１４４に記録されているデータを読み出し続ける。
【００７８】
ステップＳ６１８にて、システム制御回路１１０は、データを読み出す指示の出力を終了する。その結果、データ記録再生ヘッド１４２は、ハードディスク１４４からデータの読み出しを終了する。
【００７９】
以上のような構造およびフローチャートに基づく、本実施の形態に係るデータ記録再生装置１００の動作について説明する。
【００８０】
［タイムシフト領域を変更する動作］
利用者がデータ記録再生装置１００の電源を入れて、データ記録再生装置１００を作動させている間、特定の時刻まで遡る指示を出力すると、タイムシフトデータファイルを開く指示が検出される（ステップＳ４０４）。このとき、アクセスカウンタＣＮＴの値がカウントアップされる（ステップＳ４０６）。アクセスカウンタＣＮＴの値が予め定められた最大値になるまでは（ステップＳ４０８にてＮＯ）、そのタイムシフトデータファイルを開くことが可能になる（ステップＳ４１２にてＮＯ、ステップＳ４０４にてＹＥＳ）。したがって、データ記録再生装置１００は、そのファイルに記録されているデータを読み出すことができる。
【００８１】
利用者がデータの再生を繰り返すと、アクセスカウンタＣＮＴの値が増加する（ステップＳ４０６）。その値が所定の最大値に到達すると（ステップＳ４０８にてＹＥＳ）、タイムシフトデータファイルの開始位置を表わすデータが次のファイルの開始位置に変更される（ステップＳ４１０）。その後、データ記録再生装置１００の電源のＯＦＦが指令されると（ステップＳ４１２にてＹＥＳ）、そのアクセスカウンタＣＮＴの値がシステム管理領域Ｄ２００のデータ領域Ｄ２０２に書込まれ（ステップＳ４１４）、その後、データ記録再生装置１００の電源は遮断される。
【００８２】
［タイムシフト録画動作］
その後、利用者がデータ記録再生装置１００の電源をＯＮに設定すると、タイムシフトデータファイルの開始位置を表わすデータがシステム管理領域Ｄ２００から読み出される（ステップＳ５０２）。その後、データ記録再生ヘッド１４２が、その開始位置に移動すると、データ記録再生装置１００に入力されるデータ（受信される映像音声データ、外部入力される映像音声データ等）は、タイムシフト領域Ｄ２１０において新たに設定されたタイムシフトデータファイルに逐次書き込まれる。
【００８３】
［再生動作］
利用者がデータ記録再生装置１００に記録されているデータを再生するために一覧の表示を指示すると、タイムシフト領域Ｄ２１０に格納されているデータの一覧が表示される（ステップＳ６０２）。
【００８４】
利用者がテレビ１５０に表示された一覧に対して再生を希望するタイムシフトデータファイルにカーソルを移動して特定の決定ボタン（図示しない）を押下すると、データ記録再生装置１００は、そのデータの読出を開始する（ステップＳ６１２）。その後、利用者が停止ボタンを押下するまで（ステップＳ６１４にてＹＥＳ）、データの読み出し処理は継続される。
【００８５】
図７を参照して、本実施の形態に係るデータ記録再生装置１００のハードディスク１４４に格納されるデータについて説明する。図７（Ａ）〜（Ｃ）は、ハードディスク１４４のタイムシフト領域Ｄ２１０において、タイムシフトデータファイルの領域が変化することを説明するための図である。
【００８６】
図７（Ａ）を参照して、当初タイムシフト領域は、開始位置「０００１」から「０９９９」まで割り当てられている。したがって、データ記録再生装置１００に入力されるデータ（たとえば、受信された番組データ、外部から入力されたデータ等）は、この領域に記録され、その他のデータ領域Ｄ７１０，Ｄ７２０等には記録されない。
【００８７】
図７（Ｂ）を参照して、データ領域Ｄ７００に対するアクセスの回数が予め定められた上限値に到達すると、そのデータ領域Ｄ７００の属性が変更され、第１の保存領域に設定される。この属性の変更により、データ領域Ｄ７００は、入力されるデータを一時的に保存するための領域ではなくなるため、次に属性が変更されるまで、記録されているデータは、他のデータによる「上書き」から保護される。
【００８８】
このとき、タイムシフトデータファイルの領域となるのは、データ領域Ｄ７１０（開始位置「１０００」から終了位置「１９９９」）である。
【００８９】
図７（Ｃ）を参照して、タイムシフトデータファイルの領域として設定されたデータ領域Ｄ７１０に対するアクセスの回数が予め定められた上限値に到達すると、その領域の属性が変更され、第２の保存領域に設定される。この属性の変更により、データ領域Ｄ７００は、入力されるデータを一時的に保存するための領域ではなくなるため、次に属性が変更されるまで、記録されているデータは上書きから保護される。
【００９０】
また、この属性の変更の結果、データ領域Ｄ７２０が、タイムシフトデータファイルとして設定される。したがって、データ記録再生装置１００に入力されるデータは、このデータ領域Ｄ７２０に一時的に記録される。
【００９１】
なお、図７（Ａ）から（Ｃ）に示したデータ領域の数、および、開始位置と終了位置とによって示される各データ領域の大きさは、あくまで例示である。したがって、データ領域の数、あるいは各データ領域の大きさは、ハードディスク１４４の容量に応じて、任意に設定され得る。
【００９２】
図８を参照して、システム管理領域Ｄ２００に格納されるデータ構造について説明する。図８（Ａ）は、タイムシフト領域Ｄ２１０の開始位置「０００１」から終了位置「０９９９」までの領域がタイムシフトデータファイルとして設定されている場合において、タイムシフトデータ領域Ｄ２００に格納されるデータを表わす。図８（Ｂ）は、タイムシフトデータファイルの領域が変更された場合に格納されるデータを表わす図である。図８（Ｃ）は、さらにタイムシフトデータファイルの領域が変更された場合に格納されるデータを表わす図である。
【００９３】
図８（Ａ）に示すように、最初にタイムシフトデータファイルに設定されているデータ領域Ｄ７００の開始位置（すなわち「０００１」）は、データ領域Ｄ３００に格納される。このデータ領域Ｄ７００の終了位置を表わすデータ（すなわち「０９９９」）は、データ領域Ｄ３１０に格納される。したがって、データ記録再生装置１４２は、このデータ領域Ｄ７００に対してデータを記録し、あるいは、この領域からデータを読み出す。
【００９４】
また、録画領域の開始位置（すなわち「４０００」）は、データ領域Ｄ３２０に格納される。録画領域の終了位置を表わすデータ（すなわち「９９９９」）は、データ領域Ｄ３３０に格納される。たとえば、利用者が録画の予約を設定した場合には、その設定に基づいて受信されるデータは、この領域に記録される。なお、この領域は、原則として変更されない。
【００９５】
その後、タイムシフトデータファイルの領域がデータ領域Ｄ７１０に変更されると（図７（Ｂ））、図８（Ｂ）に示すように、変更された領域の開始位置（すなわち「１０００」）がデータ領域Ｄ３００に格納される。同様に、その領域の終了位置（すなわち「１９９９」）がデータ領域Ｄ３１０に格納される。したがって、データ記録再生装置１４２は、データ領域Ｄ７１０に、データを記録する。
【００９６】
また、データ領域Ｄ７００は、第１の保存領域として、その領域の開始位置（すなわち「０００１」）は、データ領域Ｄ３４０に格納される。同様に、その領域の終了位置（すなわち「０９９９」）は、データ領域Ｄ３５０に格納される。これにより、記録済みのデータの録画領域への転送その他の管理を、容易に行なうことができる。
【００９７】
その後、さらに、タイムシフトデータファイルの領域がデータ領域Ｄ７２０に変更されると（図７（Ｃ））、図８（Ｃ）に示すように、変更された領域の開始位置（すなわち「２０００」）がデータ領域Ｄ３００に格納される。同様に、その領域の終了位置（すなわち「２９９９」）がデータ領域Ｄ３１０に格納される。したがって、データ記録再生装置１４２は、データ領域Ｄ７２０に、データを記録する。
【００９８】
また、データ領域Ｄ７１０は、第２の保存領域として、その領域の開始位置（すなわち「１０００」）が、データ領域Ｄ３６０に格納される。同様に、その領域の終了位置（すなわち「１９９９」）は、データ領域Ｄ３７０に格納される。
【００９９】
なお、図８（Ａ）〜図８（Ｃ）において、各領域を特定するためのデータとして開始位置および終了位置を表わすデータがそれぞれ格納されている場合について説明したが、記録されるデータの項目は、これらに限られない。
【０１００】
たとえば、各領域の開始位置を表わすデータのみをシステム管理領域Ｄ２００に格納してもよい。このような場合、開始位置を表わすタイムシフトデータファイルのサイズを表わすデータとに基づいて、その領域に対するデータの記録を制御することができる。たとえば、その領域の最後まで記録が行なわれた場合には、その領域の先頭に戻って、受信データ等を逐次記録し続けることができる。
【０１０１】
以上のようにして本実施の形態に係るデータ記録再生装置１００によると、ハードディスク１４４におけるタイムシフト領域Ｄ２１０を予め複数の領域に分割し、その領域へのアクセスが所定の上限値に達するまで、その領域のみを、データを一時的に保存するための領域として使用することができる。
【０１０２】
このようにすると、所定回数だけデータの書込あるいは読出が行なわれた後、タイムシフトデータファイルとして使用される領域が変更されるため、データ記録再生ヘッド１４２の動作の偏りを防止することができる。これにより、ハードディスク装置１４０における機械的寿命の低下を防止することができる。
【０１０３】
また、このように一時的に記録したデータをファイル単位で転送可能にすることにより、利用者の指示に応じて、録画領域に保存することができる。このように、タイムシフト領域Ｄ２１０を複数の領域に分割することにより、ファイルの管理を容易にすることができる。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０５】
【図１】本発明の実施の形態に係るデータ記録再生装置の構成を表わすブロック図である。
【図２】本発明の実施の形態に係るデータ記録再生装置のハードディスク装置におけるデータの記録領域を説明するための図（その１）である。
【図３】本発明の実施の形態に係るデータ記録再生装置のハードディスク装置に記録されるデータを説明するための図（その１）である。
【図４】本発明の実施の形態に係るデータ記録再生装置が実行する処理の手順を表わすフローチャート（その１）である。
【図５】本発明の実施の形態に係るデータ記録再生装置が実行する処理の手順を表わすフローチャート（その２）である。
【図６】本発明の実施の形態に係るデータ記録再生装置が実行する処理の手順を表わすフローチャート（その３）である。
【図７】本発明の実施の形態に係るデータ記録再生装置のハードディスク装置におけるデータの記録領域を説明するための図（その２）である。
【図８】本発明の実施の形態に係るデータ記録再生装置のハードディスク装置に記録されるデータを説明するための図（その２）である。
【符号の説明】
【０１０６】
１００  データ記録再生装置、１１０  システム制御回路、１１２  メモリ、１１４  ＯＳＤ画像生成回路、１２２  操作部、１２４  受光部、１２６  計時回路、１２８  表示部、１３０  チューナ、１３２  ＭＰＥＧエンコーダ、１４０  ハードディスク装置、１４２  データ記録再生ヘッド、１４４  ハードディスク、１４６  ＭＰＥＧデコーダ、１４８  出力部、１５０  テレビ、１９０  アンテナ。
【図１】
2005149630.tif 000003
【図２】
2005149630.tif 000004
【図３】
2005149630.tif 000005
【図４】
2005149630.tif 000006
【図５】
2005149630.tif 000007
【図６】
2005149630.tif 000008
【図７】
2005149630.tif 000009
【図８】
2005149630.tif 000010